(57)【要約】【課題】この発明は脚用マッサージ器の保持具位置を、利用者の身長などに応じて簡単に変えることができるマッサージ装置を提供することにある。【解決手段】基体の所定方向に沿って走行可能に設けられたマッサージローラと、マッサージローラを所定方向に沿って往復駆動する駆動装置と、基体の少なくとも上面を被覆した外装地と、外装地の上面の所定方向の一端部に対応する部分に所定方向に沿って設けられた一対のガイド部材３１と、一対のガイド部材に沿ってスライド可能に設けられた一対の可動部材３６と、一対の可動部材に設けられ利用者の脚部を包んで空気圧によってマッサージする一対の保持具２２を有する脚用マッサージ器２３を具備する。【選択図】      図４
2008245823.tif 000002
【特許請求の範囲】
【請求項１】
利用者をマッサージするマッサージ装置であって、
基体と、
この基体の所定方向に沿って走行可能に設けられたマッサージローラと、
このマッサージローラを上記所定方向に沿って往復駆動する駆動装置と、
上記基体の少なくとも上面を被覆した外装地と、
この外装地の上面の上記所定方向の一端部に対応する部分にこの所定方向に沿って設けられた一対のガイド部材と、
一対のガイド部材に沿ってスライド可能に設けられた一対の可動部材と、
一対の可動部材に設けられ上記利用者の脚部を包んで空気圧によってマッサージする一対の保持具を有する脚用マッサージ器と
を具備したことを特徴とするマッサージ装置。
【請求項２】
上記ガイド部材は可撓性を有するファスナであって、上記可動部材は上記ファスナを開閉する一対のスライダに取り付けられていることを特徴とする請求項１記載のマッサージ装置。
【請求項３】
上記ガイド部材は上記外装地に第１の面状ファスナによって着脱可能に取り付けられることを特徴とする請求項１記載のマッサージ装置。
【請求項４】
上記可動部材は剛性を有する板状部材の上面に第２の面状ファスナが設けられて構成され、
上記保持具は上記第２の面状ファスナに着脱可能に取り付けられることを特徴とする請求項１又は請求項２記載のマッサージ装置。
【請求項５】
可動部材をスライド可能に設けるスライド装置であって、
ファスナを有するガイド部材と、
上記ファスナにスライド可能に設けられ上記可動部材が連結された一対のスライダと
を具備したことを特徴とするスライド装置。
【請求項６】
一方のスライダが上記ファスナを開き、他方のスライダが上記ファスナを閉じながら上記可動部材が上記ファスナに沿ってスライドするとき、この可動部材のスライド抵抗を増大させる摩擦部材が設けられていることを特徴とする請求項５記載のスライド装置。
【発明の詳細な説明】
【技術分野】
【０００１】
この発明はたとえば仰臥した利用者の背面及び脚部をマッサージすることができるマッサージ装置及びマッサージ装置に用いることができるスライド装置に関する。
【背景技術】
【０００２】
仰臥した利用者の身体の背面をマッサージすることができるマッサージ装置として特許文献１に示される構成のものが知られている。この種のマッサージ装置は、上面にガイドレールが設けられた基体を有し、この基体には上記ガイドレールに沿ってマッサージローラが回転可能に保持されている。
【０００３】
上記マッサージローラは上記基体の長手方向一端部に設けられた駆動装置によって往復駆動されるようになっている。そのため、利用者は身体の背面がほぼ全長にわたって上記マッサージローラによりマッサージされることになる。
【０００４】
このような構成のマッサージ装置によると、利用者がマッサージ装置上に仰臥した状態でマッサージローラを走行させると、身体の脚部の膝から下の部分が他の部分に比べて軽いため、マッサージローラの走行によって浮き上がり、強いマッサージを受けることができないということがある。
【０００５】
そこで、脚部に砂袋などのウエイトを載せ、走行するマッサージローラにふくらはぎの部分を強く押し当てることができるようにすることで、マッサージ効果を高めるようにしている。
【０００６】
その場合、利用者は脚部の下肢の部分がウエイトの重さに応じて強く押圧されるから、マッサージ効果を高めることができるものの、マッサージローラは脚部のふくらはぎの部分を押圧するだけであって、下肢に揉みによるマッサージを行なうことができないため、利用者によっては脚の疲労を除くには十分でないということがあった。
【０００７】
そこで、特許文献２に示されるように、利用者の脚部を包み込んで脚部を空気圧によってマッサージする脚用マッサージ器を上記基体の長手方向一端部に設け、この脚用マッサージ器で利用者の下肢に揉みによるマッサージを行うことができるようにしたマッサージ装置が提案されている。
【特許文献１】特公昭６３−１１０２６号公報
【特許文献２】特開２００３−１１１８０８号公報
【発明の開示】
【発明が解決しようとする課題】
【０００８】
特許文献２に示された脚用マッサージ器は、ベース部材に一対の保持具が取付け固定されている。そして、上記ベース部材は上記基体の一端部側の上面に設けられる。それによって、基体上に仰臥した利用者は、脚部を一対の保持具によって包み込む状態で保持させれば、背面にマッサージローラによるマッサージを受けながら、脚部に脚用マッサージ器によってマッサージを受けることができる。
【０００９】
しかしながら、脚用マッサージ器の一対の保持具は上記ベース部材に固定されて設けられている。そのため、利用者がマッサージを受けるために基体上に仰臥して脚部の下肢を保持具に保持させるとき、上記保持具の位置を、たとえば利用者の身長などによって変えることが容易でないため、使い勝手が悪く、不便であるということがあった。
【００１０】
この発明は、脚用マッサージ器の一対の保持具の位置を容易に変更することができるようにしたマッサージ装置及びこのマッサージ装置に用いることができるスライド装置を提供することにある。
【課題を解決するための手段】
【００１１】
この発明は、利用者をマッサージするマッサージ装置であって、
基体と、
この基体の所定方向に沿って走行可能に設けられたマッサージローラと、
このマッサージローラを上記所定方向に沿って往復駆動する駆動装置と、
上記基体の少なくとも上面を被覆した外装地と、
この外装地の上面の上記所定方向の一端部に対応する部分にこの所定方向に沿って設けられた一対のガイド部材と、
一対のガイド部材に沿ってスライド可能に設けられた一対の可動部材と、
一対の可動部材にそれぞれ設けられ上記利用者の脚部を包んで空気圧によってマッサージする一対の保持具を有する脚用マッサージ器と
を具備したことを特徴とするマッサージ装置にある。
【００１２】
上記ガイド部材は可撓性を有するファスナであって、上記可動部材は上記ファスナを開閉する一対のスライダに取り付けられていることが好ましい。
【００１３】
上記ガイド部材は上記外装地に第１の面状ファスナによって着脱可能に取り付けられることが好ましい。
【００１４】
上記可動部材は剛性を有する板状部材の上面に第２の面状ファスナが設けられて構成され、
上記保持具は上記第２の面状ファスナに着脱可能に取り付けられることが好ましい。
【００１５】
この発明は、可動部材をスライド可能に設けるスライド装置であって、
ファスナを有するガイド部材と、
上記ファスナにスライド可能に設けられ上記可動部材が連結された一対のスライダと
を具備したことを特徴とするスライド装置にある。
【００１６】
一方のスライダが上記ファスナを開き、他方のスライダが上記ファスナを閉じながら上記可動部材が上記ファスナに沿ってスライドするとき、この可動部材のスライド抵抗を増大させる摩擦部材が設けられていることが好ましい。
【発明の効果】
【００１７】
この発明によれば、基体を覆う外装地の上面に一対のガイド部材を設け、このガイド部材に可動部材をスライド可能に設け、この可動部材に脚用マッサージ器の保持具を設けるようにした。
【００１８】
そのため、利用者が脚部の下肢を上記保持具に保持させるとき、その保持具を可動部材とともにガイド部材に沿ってスライドさせることができるから、保持具の位置を利用者の好みに応じて容易に変更することができる。
【００１９】
また、可動部材を簡単な構成で確実にスライドさせるためのスライド装置を提供することができる。
【発明を実施するための最良の形態】
【００２０】
以下、この発明の一実施の形態を図面を参照して説明する。
【００２１】
図１乃至図３はこの発明のマッサージ装置１を示し、このマッサージ装置１は図２と図３に示すように矩形板状の基体２を有する。この基体２は樹脂などの折り曲げ可能な板状部材によって矩形状に形成されている。この基体２の上面の幅方向両端部には、一対のガイドレール３が所定間隔で長手方向に沿って配設されている。
【００２２】
上記ガイドレール３は柔軟な合成樹脂によって形成されていて、その長手方向中途部には、図３に示すようにこのガイドレール３を上記基体２とともに折り曲げ可能にする複数のスリット４が形成されている。
【００２３】
上記一対のガイドレール３には支持体５が走行可能に設けられている。この支持体５は支軸６を有し、この支軸６の両端には上記ガイドレール３に沿って走行する車輪（図示せず）を有する端部材７が設けられている。上記支軸６には軸方向に所定間隔で複数のマッサージローラ８が回転可能に設けられている。
【００２４】
上記基体２の上面の長手方向の一端部、つまりガイドレール３の一端部側には駆動装置１１が配設されている。この駆動装置１１は上面が覆われたケース１２を有し、このケース１２内には駆動モータ１３が設けられている。この駆動モータ１３は、互いに噛合した一対の歯車１４を回転駆動するようになっており、各歯車１４にはプーリ１５が一体的に設けられている。
【００２５】
一対のプーリ１５の一方と他方にはそれぞれ図示しないベルトの一端部と他端部とが巻回されている。このベルトは上記ガイドレール３の上面側と下面側とにそれぞれ形成された通路（図示せず）に通され、中途部はガイドレール３の他端部に設けられた図示しないローラによって走行方向が反転させられている。そして、上記支持体５の一対の端部材７が上記ベルトに連結されている。
【００２６】
したがって、上記駆動モータ１３を作動させ、ベルトをガイドレール３に沿って走行させれば、その走行に支持体５が連動する。つまり、支持体５を基体２の長手方向に沿って往復走行させることができるようになっている。  
なお、上記基体２の上面の一対のガイドレール３の外側の部分にはそれぞれウレタンフォームなどの柔らかなクッション材１６が設けられている。
【００２７】
図１に示すように、上記基体２は表面全体が外装地２１によって覆われている。この外装地２１はパイル地によって袋状に縫製されていて、その上面の駆動装置１１側の一端部には図１に示すように利用者の左右の脚部を別々に保持可能な一対の保持具２２からなる脚用マッサージ器２３が設けられ、他端部には枕２４が設けられている。
【００２８】
上記保持具２２は可撓性を有する薄い板状のベース部材２５を有し、このベース部材２５の内面には複数の空気袋２６が形成されている。ベース部材２５と空気袋２６はパイル地からなる布地２７によって被覆されている。上記ベース部材２５は図２に示すように利用者Ｕの脚部の下肢を包んでその一端部と他端部を図示しない面状ファスナで係着することで、利用者Ｕの下肢を包んだ状態が維持されるようになっている。
【００２９】
各空気袋２６には、制御装置（図示せず）によって駆動が制御される送排気ポンプ（図示せず）によって圧縮空気が供給及び排出されるようになっている。それによって、複数の空気袋２６は所定の順序で膨張及び収縮が繰り返されるから、膨張する袋部によって利用者の下肢を揉むマッサージを行うことができるようになっている。
【００３０】
上記脚用マッサージ器２３の一対の保持具２２は、上記基体２の長手方向の一端部の上面に長手方向に沿ってスライド可能に設けられている。すなわち、基体２を被覆した外装地２１の上面には、図１に示すように基体２の幅方向に対して所定間隔で離間した一対のガイド部材３１が着脱可能に設けられている。
【００３１】
上記ガイド部材３１は図５（ｂ）に示すように帯布状の第１の面状ファスナ３２を有する。この第１の面状ファスナ３２は係着部３２ａを下にし、上面には一対のスライダ３３（図６に示す）によって開閉されるファスナ３４が重合されていて、第１の面状ファスナ３２とファスナ３４は周縁部が全長にわたって縫着されている。
【００３２】
上記第１の面状ファスナ３２と上記ファスナ３４との間には、上記第１の面状ファスナ３２の上面に設けられたテープ状の第１の摩擦部材３５が全長にわたって設けられている。第１の摩擦部材３５はたとえば目が粗くて摩擦係数が大きいキャンバスなどの布地などが用いられている。
【００３３】
そして、上記構成の一対のガイド部材３１は、第１の面状ファスナ３２をパイル地からなる外装地２１に着脱可能に係着させて基体２の長手方向一端部の上面に、この長手方向に沿うとともに幅方向に所定間隔で離間して設けられている。
【００３４】
一対のスライダ３３は上記ファスナ３４に所定間隔で離間して取着されていて、これらスライダ３３には先端に形成された孔３３ａを介して帯板状の可動部材３６がねじ３７によって取付け固定されている。したがって、上記可動部材３６は上記スライダ３３とともに上記ファスナ３４に沿ってスライド可能となっている。
【００３５】
なお、一対のスライダ３３をファスナ３４に沿ってスライドさせると、一方のスライダ３３はファスナ３４を開き、他方のスライダ３３はファスナ３４を閉じながらスライドするようになっている。そして、上記ファスナ３４、スライダ３３及び可動部材３６によってスライド装置を構成している。
【００３６】
図５（ａ）に示すように、上記可動部材３６は合成樹脂などの剛性を有する板材３８が比較的丈夫な樹脂などのシートによって袋状に縫製された外装材３９によって被覆されていて、その上面には第２の面状ファスナ４１が係着部４１ａを上にして縫着されている。
【００３７】
上記可動部材３６の下面にはスペーサ４２を介して硬質で摩擦抵抗の大きな材料からなる第２の摩擦部材４３が設けられている。一対のスライダ３３に上記可動部材３６を取り付ける。
【００３８】
それによって、ファスナ３４の開いた両端部はスペーサ４２によって形成された可動部材３６の下面と第２の摩擦部材４３の上面との間の空間部に入り込むから、図５（ｃ）に示すようにガイド部材３１に設けられた第１の摩擦部材３５に上記可動部材３６に設けられた第２の摩擦部材４３が確実に接触する。
【００３９】
第１の摩擦部材３５に第２の摩擦部材４３が接触すれば、上記可動部材３６はある程度の抵抗をもって上記ファスナ３４に沿ってスライドさせることができる。つまり、可動部材３６が不用意にスライドすることがないようになっている。
【００４０】
一対の可動部材３６には、それぞれ上記保持具２２がこの保持具２２のベース部材２５を被覆した布地２７を上記第２の面状ファスナ４１に係着させて着脱可能に設けられている。つまり、一対の可動部材３６には脚用マッサージ器２３を構成する保持具２２がそれぞれ着脱可能に取着される。
【００４１】
なお、マッサージ装置１は図示しないリモートコントローラによって駆動が制御されるようになっていて、たとえば脚用マッサージ器２３を基体２の上面に設けたときには、マッサージローラ８を脚用マッサージ器２３が設けられた部分を除く範囲で走行させることができ、脚用マッサージ器２３を取り外したときには基体２の全長にわたって走行させることができるようになっている。
【００４２】
このような構成のマッサージ装置１によれば、基体２の上面の長手方向の一端部に一対のガイド部材３１を、上記基体２を被覆した外装地２１に第１の面状ファスナ３２によって着脱可能に取着し、このガイド部材３１のファスナ３４に設けられた一対のスライダ３３に可動部材３６を連結し、この可動部材３６に設けられた第２の面状ファスナ４１によって利用者Ｕの脚部をマッサージする脚用マッサージ器２３の一対の保持具２２を着脱可能に取り付けるようにした。
【００４３】
上記可動部材３６が連結された上記ファスナ３４の一対のスライダ３３は、このファスナ３４に沿ってスライド自在である。つまり、一対のスライダ３３はファスナ３４を開閉しながら、そのファスナ３４に沿ってスライドするから、保持具２２が取付けられた可動部材３６は上記スライダ３３とともに基体２の長手方向に沿ってスライドさせることができる。
【００４４】
そのため、利用者Ｕが脚部にマッサージを受けるため、基体２上で仰臥して両脚の下肢を上記一対の保持具２２に保持する際、利用者Ｕの身長などに応じて上記保持具２２を、脚部の下肢を確実に保持できる位置に簡単にスライドさせることができる。それによって、利用者Ｕは脚部の下肢に確実かつ快適なマッサージを受けることができる。
【００４５】
保持具２２が設けられた可動部材３６には、ガイド部材３１に設けられた第１の摩擦部材３５と、上記可動部材３６に設けられた第２の摩擦部材４３との接触によってスライド抵抗が付与されている。
【００４６】
そのため、利用者Ｕの脚部の下肢の所定の部位を保持するよう位置決めされた上記保持具２２が不用意に位置ずれすることがないから、同じ利用者Ｕが繰り返して利用するときに、その都度、保持具２２を位置決めしなくてすむ。
【００４７】
上記ガイド部材３１は基体２を被覆した外装地２１に第１の面状ファスナ３２によって着脱可能に取り付けられている。そのため、利用者Ｕが脚部のマッサージを受けずに、マッサージローラ８によって背面全体にマッサージを受けたい場合には、上記ガイド部材３１とともに脚用マッサージ器２３の一対の保持具２２を基体２から取り外すことができる。
【００４８】
上記保持具２２は可動部材３６に設けられた第２の面状ファスナ４１に着脱可能に取り付けられている。そのため、基体２から取り外した保持具２２は、可動部材３６から分離することができるから、収納や点検などに際して保持具２２や可動部材３６の取り扱いが容易となる。
【００４９】
上記一実施の形態ではスライド装置をマッサージ装置の保持具を位置決めするために用いるようにしたが、マッサージ装置以外であっても、可動部材を簡単な構成で確実にスライドさせることが要求されるものであれば適用することができる。
【図面の簡単な説明】
【００５０】
【図１】この発明の一実施の形態を示すマッサージ装置の斜視図。
【図２】利用者がマッサージ装置に仰臥した状態を示す概略的構成の断面図。
【図３】外装地を取り除いたマッサージ装置の概略的構成を示す平面図。
【図４】脚用マッサージ器を示す斜視図。
【図５】（ａ）は可動部材の断面図、（ｂ）はガイド部材の断面図、（ｃ）はガイド部材に可動部材３６を連結した状態の断面図。
【図６】ガイド部材と可動部材の分解斜視図。
【符号の説明】
【００５１】
２…基体、３…ガイドレール、８…マッサージローラ、１１…駆動装置、２１…外装地、２２…保持具、２３…脚用マッサージ器、３１…ガイド部材、３２…第１の面状ファスナ、３３…スライダ、３４…ファスナ、３６…可動部材、４１…第２の面状ファスナ。
【図１】
2008245823.tif 000003
【図２】
2008245823.tif 000004
【図３】
2008245823.tif 000005
【図４】
2008245823.tif 000006
【図５】
2008245823.tif 000007
【図６】
2008245823.tif 000008